(57)【特許請求の範囲】
【請求項１】
縦方向に伸びる背部を介して連続する表表紙及び裏表紙を有する冊子類であって、
少なくとも２つの同一構造の冊子類を重ねて連結するための連結構造を有し、
この連結構造は、表表紙及び裏表紙のうちの一方表紙に縦方向の単一のスリットを設けるとともに、表表紙及び裏表紙のうちの他方表紙に、横方向の両側に基端部及び先端部を有するように配向され、先端部側からスリットへ挿入可能な単一の挿入拡張片を設けてなり、
前記挿入拡張片は、前記スリットの長さと略同じ寸法の幅を有する挿入部位と、挿入部位の両側に形成した横方向の折畳辺を介して連続し、挿入時には折り畳まれ、挿入後には折り畳みを解いて拡張することが可能な一対の拡張部位とを有し、
かつ前記スリットと挿入部位の基部とは、その幅が略同じ寸法であり、かつ閉じた状態の冊子類の表紙面と直角な方向から見てほぼ同じ位置に配置することにより、２つの同一構造の冊子類のうちの一方の冊子類のスリット内に、他方の冊子類の挿入拡張片を挿入したときに、それら２つの冊子類が一つの冊子類の如く重なるように形成し、
前記他方表紙の上縁および下縁から、中央に向かって切込みを入れ、これら切込みの切込み先端を通って前記上縁および下縁に平行に背部と反対側の縁部である側縁に至るように前記折畳辺を形成することにより、他方表紙のうち前記両切込みよりも側縁寄りの表紙部分の全体を挿入拡張片としたことを特徴とする、連結構造を有する冊子類。
【発明の詳細な説明】
【技術分野】
【０００１】
この発明は、連結構造を有する冊子類に関する。
【背景技術】
【０００２】
手帳などが複数冊、貯まり、まとめて保存しておきたいときには、不便を感じるものである。各冊が、物理的にバラバラになりやすいからである。
物理的にまとめるために従来、行われていた簡易な方法として、例えば手帳を、開いた状態で複数重ね、輪ゴムに通し、この輪ゴムを表紙または裏表紙の間に位置させておく方法がある。
また、下記特許文献１には、ファスナーを用いて、手帳を連結する技術が開示されている。
【先行技術文献】
【特許文献】
【０００３】
【特許文献１】実登３１４４６６７
【発明の概要】
【発明が解決しようとする課題】
【０００４】
しかしながら、前記輪ゴムを用いた簡易な方法では、複数のまとめた手帳を、全体として１つの手帳として使用することができない。すなわち、開いて一番手前に位置する手帳は、全体として中央部分に存在することになってしまい、逆に、開いて一番奥に位置する手帳は、全体として両端部分に存在することになってしまい、新旧の順に正しく位置させることができない。
【０００５】
また、特許文献１の技術では、新旧の順に位置させることは可能であるが、ファスナーを表紙と一体的に設けなくてはならず、製造コストが高くなってしまう。
これらの問題は、手帳に限らず、他の冊子、ノート、本等でも同様に存在する。このため、この出願が対象とする冊子類とは、手帳、冊子、ノート、本など表紙と裏表紙を有し、紙などからなる各葉を、紐、接着剤、綴じ具などで綴じた構成を有するものを全て含むものとする。
【０００６】
この発明は、以上の問題点を解決するために、冊子類を閉じた状態で重ねて連結でき、製造コストを抑止できる冊子類の連結構造を提供することを目的とする。
【課題を解決するための手段】
【０００７】
以上の課題を解決するために、第一発明は、
縦方向に伸びる背部を介して連続する表表紙及び裏表紙を有する冊子類であって、
少なくとも２つの同一構造の冊子類を重ねて連結するための連結構造を有し、
この連結構造は、表表紙及び裏表紙のうちの一方表紙に縦方向の単一のスリットを設けるとともに、表表紙及び裏表紙のうちの他方表紙に、横方向の両側に基端部及び先端部を有するように配向され、先端部側からスリットへ挿入可能な単一の挿入拡張片を設けてなり、
前記挿入拡張片は、前記スリットの長さと略同じ寸法の幅を有する挿入部位と、挿入部位の両側に形成した横方向の折畳辺を介して連続し、挿入時には折り畳まれ、挿入後には折り畳みを解いて拡張することが可能な一対の拡張部位とを有し、
かつ前記スリットと挿入部位の基部とは、その幅が略同じ寸法であり、かつ閉じた状態の冊子類の表紙面と直角な方向から見てほぼ同じ位置に配置することにより、２つの同一構造の冊子類のうちの一方の冊子類のスリット内に、他方の冊子類の挿入拡張片を挿入したときに、それら２つの冊子類が一つの冊子類の如く重なるように形成し、
前記他方表紙の上縁および下縁から、中央に向かって切込みを入れ、これら切込みの切込み先端を通って前記上縁および下縁に平行に背部と反対側の縁部である側縁に至るように前記折畳辺を形成することにより、他方表紙のうち前記両切込みよりも側縁寄りの表紙部分の全体を挿入拡張片とした。
【発明の効果】
【００１４】
本発明によれば、冊子類の表表紙または裏表紙に切込みを入れて、スリットや挿入拡張片を形成するだけでよく、製造コストを抑止できる。また、冊子類を閉じた状態で重ねて順に連結でき、全体としてあたかも１つの冊子類として使用できる。
【００１５】
また本発明によれば、さらに、スリットは縦に形成され、挿入拡張片の挿入作業は、挿入方向が横方向なので、挿入する側とされる側の冊子類を、左右に動かすことで行われ、作業が容易である。
また、連結した状態で左右方向へ引っ張る力には、拡張部位がスリットに係止して抵抗するので、連結状態の冊子類を左右に引っ張っても十分な強度を有することになり、連結して全体としてあたかも１つの冊子類として、開いて使用する際に、強度が安定する。
【図面の簡単な説明】
【００１８】
各図は全て図面代用写真である。
【図１】この発明の第一実施形態の連結手順を示すもので、（１Ａ）は連結前の２つの冊子類を示す斜視図、（１Ｂ）は冊子類の表紙や裏表紙を開いてスリットと挿入拡張片を示す斜視図、（１Ｃ）は一方の冊子類に形成された挿入拡張片を折り畳んだ状態を示す斜視図、（１Ｄ）は折り畳んだ状態の挿入拡張片を、他方のスリットに挿入する斜視図である。
【図２】図１の第一実施形態における連結手順の続きを示すもので、（１Ｅ）は挿入が終わった状態の斜視図、（１Ｆ）は（１Ｅ）の挿入状態を反対側から見た斜視図、（１Ｇ）は（１Ｆ）の挿入拡張片を拡張した状態を示す斜視図、（１Ｈ）は連結後の２つの冊子類を示す斜視図、（１Ｉ）は（１Ｈ）を背部から見た斜視図である。
【００１９】
なお、各図において、（  ）内の数字は実施形態の番号を示し、アルファベットは対応する共通の手順を示す。
【図３】この発明の第二実施形態の連結手順を示すもので、（２Ｂ）は冊子類の表紙や裏表紙を開いてスリットと挿入拡張片を示す斜視図、（２Ｃ）は一方の冊子類に形成された挿入拡張片を折り畳んだ状態を示す斜視図、（２Ｉ）は連結後の２つの冊子類を背部から見た斜視図である。
【図４】この発明の第三実施形態の連結手順を示すもので、（３Ｃ）は一方の冊子類に形成された挿入拡張片を折り畳んだ状態を示す斜視図、（３Ｉ）は連結後の２つの冊子類を背部から見た斜視図である。
【図５】この発明の第１参考例の連結手順を示すもので、（４Ａ）は連結前の２つの冊子類を示す斜視図、（４Ｂ）は冊子類の表紙や裏表紙を開いてスリットと挿入拡張片を示す斜視図、（４Ｃ）は一方の冊子類に形成された挿入拡張片を折り畳んだ状態を示す斜視図、（４Ｄ）は折り畳んだ状態の挿入拡張片を、他方のスリットに挿入する斜視図である。
【図６】図５の第１参考例における連結手順の続きを示すもので、（４Ｅ）は挿入が終わった状態の斜視図、（４Ｆ）は（４Ｅ）の挿入状態を反対側から見た斜視図、（４Ｇ）は（４Ｆ）の挿入拡張片を拡張した状態を示す斜視図、（４Ｈ）は連結後の２つの冊子類を示す斜視図、（４Ｉ）は（４Ｈ）を背部から見た斜視図である。
【図７】この発明の第２参考例の連結手順を示すもので、（５Ａ）は連結前の２つの冊子類を示す斜視図、（５Ｂ）は冊子類の表紙や裏表紙を開いてスリットと挿入拡張片を示す斜視図、（５Ｃ）は一方の冊子類に形成された挿入拡張片を折り畳んだ状態を示す斜視図、（５Ｄ）は折り畳んだ状態の挿入拡張片を、他方のスリットに挿入する斜視図である。
【図８】図７の第２参考例における連結手順の続きを示すもので、（５Ｅ）は挿入が終わった状態の斜視図、（５Ｆ）は（５Ｅ）の挿入状態を反対側から見た斜視図、（５Ｇ）は（５Ｆ）の挿入拡張片を拡張した状態を示す斜視図、（５Ｈ）は連結後の２つの冊子類を示す斜視図、（５Ｉ）は（５Ｈ）を背部から見た斜視図である。
【図９】この発明の第３参考例の連結手順を示すもので、（６Ｂ）は冊子類の表紙や裏表紙を開いてスリットと挿入拡張片を示す斜視図、（６Ｃ）は一方の冊子類に形成された挿入拡張片を折り畳んだ状態を示す斜視図、（６Ｄ）は折り畳んだ状態の挿入拡張片を、他方のスリットに挿入する斜視図である。
【図１０】図９の第３参考例における連結手順の続きを示すもので、（６Ｅ）は挿入が終わった状態の斜視図、（６Ｆ）は（６Ｅ）の挿入状態を反対側から見た斜視図、（６Ｇ）は（６Ｆ）の挿入拡張片を拡張した状態を示す斜視図、（６Ｈ）は連結後の２つの冊子類を示す斜視図、（６Ｉ）は（６Ｈ）を背部から見た斜視図である。
【図１１】この発明の第４参考例の連結手順を示すもので、（７Ｂ）は冊子類の表紙や裏表紙を開いてスリットと挿入拡張片を示す斜視図、（７Ｃ）は一方の冊子類に形成された挿入拡張片を折り畳んだ状態を示す斜視図、（７Ｄ）は折り畳んだ状態の挿入拡張片を、他方のスリットに挿入する斜視図である。
【図１２】図１１の第４参考例における連結手順の続きを示すもので、（７Ｅ）は挿入が終わった状態の斜視図、（７Ｆ）は（７Ｅ）の挿入状態を反対側から見た斜視図、（７Ｇ）は（７Ｆ）の挿入拡張片を拡張した状態を示す斜視図、（７Ｈ）は連結後の２つの冊子類を示す斜視図、（７Ｉ）は（７Ｈ）を背部から見た斜視図である。
【図１３】この発明の第５参考例の連結手順を示すもので、（８Ｂ）は冊子類の表紙や裏表紙を開いてスリットと挿入拡張片を示す斜視図、（８Ｃ）は一方の冊子類に形成された挿入拡張片を折り畳んだ状態を示す斜視図、（８Ｄ）は折り畳んだ状態の挿入拡張片を、他方のスリットに挿入する斜視図である。
【図１４】図１３の第５参考例における連結手順の続きを示すもので、（８Ｅ）は挿入が終わった状態の斜視図、（８Ｆ）は（８Ｅ）の挿入状態を反対側から見た斜視図、（８Ｇ）は（８Ｆ）の挿入拡張片を拡張した状態を示す斜視図、（８Ｈ）は連結後の２つの冊子類を示す斜視図、（８Ｉ）は（８Ｈ）を背部から見た斜視図である。
【図１５】この発明の第６参考例の連結手順を示すもので、（９Ｂ）は冊子類の表紙や裏表紙を開いてスリットと挿入拡張片を示す斜視図、（９Ｃ）は一方の冊子類に形成された挿入拡張片を折り畳んだ状態を示す斜視図、（９Ｄ）は折り畳んだ状態の挿入拡張片を、他方のスリットに挿入する斜視図である。
【図１６】図１５の第６参考例における連結手順の続きを示すもので、（９Ｅ）は挿入が終わった状態の斜視図、（９Ｆ）は（９Ｅ）の挿入状態を反対側から見た斜視図、（９Ｇ）は（９Ｆ）の挿入拡張片を拡張した状態を示す斜視図である。
【図１７】この発明の第７参考例の連結手順を示すもので、（１０Ｂ）は冊子類の表紙や裏表紙を開いてスリットと挿入拡張片を示す斜視図、（１０Ｃ）は一方の冊子類に形成された挿入拡張片を折り畳んだ状態を示す斜視図、（１０Ｄ）は折り畳んだ状態の挿入拡張片を、他方のスリットに挿入する斜視図である。
【図１８】図１７の第７参考例における連結手順の続きを示すもので、（１０Ｅ）は挿入が終わった状態の斜視図、（１０Ｆ）は（１０Ｅ）の挿入状態を反対側から見た斜視図、（１０Ｇ）は（１０Ｆ）の挿入拡張片を拡張した状態を示す斜視図である。
【発明を実施するための形態】
【００２０】
＜第一実施形態＞
この発明の第一実施形態を、図１および図２に示す。
「第一実施形態の構成」
本実施形態において、冊子類１とは、手帳をいう。また、この冊子類１を、図では、２冊、閉じた状態で重ねて連結する。
【００２１】
各冊子類１の表紙３に、縦に、切込み５ａを入れてスリット７を形成する。また、各冊子類１の裏表紙９に切込み５ｂを入れて挿入拡張片１１を形成する。この挿入拡張片１１は、左右方向両側に基端部及び先端部を有し、先端部側からスリット７に挿入して拡張することで、冊子類１の連結をおこなう。挿入拡張片１１は、挿入部位１３と拡張部位１５で構成される。挿入部位１３は、長方形を有し、スリット７の長さと略同じ寸法の幅を有する。挿入を許すほどにわずかにスリット７の長さの方が長い。
【００２２】
拡張部位１５は、挿入部位１３の基部の両側に、各々長方形として、形成される。また、挿入部位１３と、挿入方向で、同じ長さを有する。そして、挿入時には折り畳まれる。挿入後には折り畳みを解いて拡張される。スリット７と挿入部位１３の基部の幅１７は、略同じ寸法である。また、スリット７の位置と、挿入部位１３の基部の幅１７の位置とは、連結のために冊子類１を重ねた状態で、同じ位置に重なる。これによりガタつきのない連結が行われる。
なお、挿入部位１３の「基部」とは、図面から明らかなように、切込み５ｂの延長線上の直線の部位であり、２つの切込み５ｂの間に位置する部位である。
【００２３】
さらに、本実施形態においては、挿入拡張片１１をできるだけ大型に形成するために、裏表紙９の上縁１９および下縁２１から、これら縁に直角に、裏表紙９の中央に向かって短い切込み５ｂを入れる。これら短い切込み５ｂの切込み先端５ｃを通って、上縁１９および下縁２１に平行に、折畳辺２３を形成する。この折畳辺２３によって、拡張部位１５の折畳みを行う。すなわち、上縁１９または下縁２１と折畳辺２３とによって、拡張部位１５が形成される。
【００２４】
「第一実施形態の連結手順」
図１および図２に、第一実施形態の連結手順を示す。
図１（１Ａ）（１Ｂ）に示すように、スリット７や挿入拡張片１１を形成した２つの冊子類１を用意する。そして、図１（１Ｃ）に示すように、一方の冊子類１に形成された挿入拡張片１１を、折畳辺２３に沿って、折り畳む。すなわち両側の拡張部位１５を折り畳む。そして、図１（１Ｄ）図２（１Ｅ）に示すように、折り畳んで挿入部位１３だけの大きさになった状態の挿入拡張片１１を、先端部側から他方の冊子類１のスリット７に挿入する。
【００２５】
挿入が終わったら（図２（１Ｅ））、図２（１Ｆ）（１Ｇ）に示すように、重なっている表表紙３と裏表紙９を裏返して、挿入拡張片１１の両側の拡張部位１５を拡張する。これにより、挿入拡張片１１が他方の冊子類１のスリット７としっかりと嵌合し、図２（１Ｈ）（１Ｉ）に示すように、２つの冊子類１が連結される。
【００２６】
「第一実施形態の効果」  
（１）本実施形態によれば、冊子類１の表表紙３または裏表紙９に切込み５ａ，５ｂを入れて、スリット７や挿入拡張片１１を形成するだけでよく、連結のための他の用具を必要としない。よって、製造コストを抑止できる。また、冊子類１を閉じた状態で重ねて、例えば、手帳として使用した新旧の順に連結でき、全体としてあたかも１つの冊子類１として使用できる。
【００２７】
（２）さらに、スリット７は縦に形成されるので、挿入拡張片１１の挿入作業は、挿入方向が横方向になる。このため、挿入する側とされる側の冊子類１を、左右に動かすことで挿入作業が行われ、作業が容易である。
（３）また、連結した状態で左右方向へ引っ張る力には、短い切込み５ｂの挿入拡張片１１側が、スリット７に係止して抵抗する。また、左右方向へ押込む力には、短い切込み５ｂの裏表紙本体側が、スリット７に係止して抵抗する。このため、連結状態の冊子類１を左右に引っ張っても、押込んでも、十分な強度を有することになる。よって、連結して全体としてあたかも１つの冊子類１として、開いたり閉じたりして使用する際に、連結の強度が安定する。
【００２８】
（４）また、各冊子類１に、スリット７や挿入拡張片１１を形成することで、次々と連結がおこなえ、多数の冊子を連結できる。すなわち、図２（１Ｉ）に示されるスリット７や挿入拡張片１１は、次の３冊目の連結に用いられる。
【００２９】
第一実施形態に限らず、スリット７の位置や方向、また挿入拡張片１１の位置や方向、大きさは、いろいろに変えることができる。すなわち、スリット７の位置は任意の位置にでき、方向は、縦に限らず、横や斜めにできる。また、挿入拡張片１１の位置や方向は、スリット７位置や方向に応じて変えることができ、大きさは、必要に応じて変えることができる。これらにより、以下に例示する多数の実施形態が可能となる。
＜第二実施形態＞
この発明の第二実施形態を、図３に示す。
「第二実施形態の構成」
第一実施形態と異なる第二実施形態の構成は、以下のようになる。すなわち、第一実施形態では、スリット７は冊子の背部２５からＬだけ離れた位置に形成され（図１（１Ｃ）参照）、これに対応して、挿入拡張片１１を形成するための短い切込み５ｂは、背部２５からＬだけ離れた位置に形成されていたが、第二実施形態では、各々、Ｌはほとんど０に近く、背部２５ギリギリの部分に形成される。
「第二実施形態の効果」  
第一実施形態と異なる第二実施形態の効果は、以下のようになる。すなわち、スリット７と挿入拡張片１１を背部２５ギリギリに形成することで、挿入拡張片１１を最大限、大型に形成することができ、よって連結の強度を最大にできる。また、連結後の背部２５と背部２５の隙間をほとんどなくすことができる（図３（２Ｉ））。
【００３０】
＜第三実施形態＞
この発明の第三実施形態を、図４に示す。
「第三実施形態の構成」
第一実施形態と異なる第三実施形態の構成は、以下のようになる。すなわち、第一実施形態では、スリット７は冊子の背部２５からＬだけ離れた位置に形成され（図１（１Ｃ）、これに対応して、挿入拡張片１１を形成するための短い切込み５ｂは、背部２５からＬだけ離れた位置に形成されていたが、第三実施形態では、各々、Ｌは大きく、表表紙３の幅方向略中央に形成され、これに対応して、短い切込み５ｂは、裏表紙９の上縁１９および下縁２１のほぼ中央に形成される。
【００３１】
「第三実施形態の効果」  
第一実施形態と異なる第三実施形態の効果は、以下のようになる。すなわち、スリット７と挿入拡張片１１を、表表紙３や裏表紙９の左右方向のほぼ中央に形成することで、連結を緩やかなものにすることができる（図４（３Ｉ）参照）。
【００３２】
＜第１参考例＞
この発明の第１参考例を、図５および図６に示す。
「第１参考例の構成」
第一実施形態と異なる第１参考例の構成は、以下のようになる。すなわち、スリット７は、縦ではなく、横に形成される。これに対応して、挿入拡張片１１は、縦に形成される。
すなわち、裏表紙９の前縁２０から、中央に向かって短い切込み５ｄを入れる。また、裏表紙９の上縁１９の背部側から、中央に向かって長い切込み５ｅを、前記短い切込み５ｄのある位置まで入れる。さらに連続して、中央に向かって直角に短い切込み５ｆを入れ、Ｌ字状の切り込み（５ｅ、５ｆ）をする。そして、これら短い切込み５ｄ、５ｆの切込み先端５ｃを通って、前縁２０に平行に折畳辺２３を形成する。これにより、挿入方向が上方向の挿入拡張片１１が形成される。
【００３３】
「第１参考例の効果」  
第一実施形態と異なる第１参考例の効果は、以下のようになる。すなわち、スリット７は横に形成され、挿入拡張片１１の挿入作業は、挿入方向が縦方向、すなわち上方向なので、挿入する側とされる側の冊子類１を、上下に動かすことで行われ、作業が容易である。
【００３４】
また、連結した状態で上下方向へ引っ張る力には、短い切込み５ｄ、５ｆの挿入拡張片１１側が、スリット７に係止して抵抗する。また、上下方向へ押込む力には、短い切込み５ｄ、５ｆの裏表紙本体側が、スリット７に係止して抵抗する。このため、連結状態の冊子類１を上下に引っ張っても、押込んでも、十分な強度を有することになる。よって、連結した一方の冊子類１のみを手でもって使用する際などに、他方の冊子が宙づりになっても、強度が安定する。
【００３５】
＜第２参考例＞
この発明の第２参考例を、図７および図８に示す。
「第２参考例の構成」
第一実施形態と異なる第２参考例の構成は、以下のようになる。すなわち、スリット７は、斜めに形成される。これに対応して、挿入拡張片１１は、斜めに形成される。
すなわち、裏表紙９の前縁２０から、中央に向かって斜め上方に２本の互いに平行な切込み５ｈを入れる。さらに、これら各切込み５ｈの先端に連続して、互いに向かって、短い切込み５ｉを入れる。これら短い切込み５ｉの切込先端５ｃを通って、前記２本の切込み５ｈに、平行に、折畳辺２３を形成する。これにより、挿入方向が斜め下方向の挿入拡張片１１が形成される。
【００３６】
「第２参考例の効果」  
第一実施形態と異なる第２参考例の効果は、以下のようになる。すなわち、スリット７および挿入拡張片１１は斜めに形成されるので、連結した状態で、左右方向のみならず上下方向へ、引っ張る力に、挿入拡張片１１がスリット７に係止して、ある程度、抵抗する。また、引っ張る力のみならず、押込む力には、挿入拡張片１１を形成した短い切込み５ｉの裏表紙本体側がスリット７に、係止して、ある程度、抵抗する。
【００３７】
このため、連結状態の冊子類１を斜めに、すなわち左右方向のみならず上下方向に、引っ張っても、押込んでも、ある程度の強度を有することになる。よって、連結して全体としてあたかも１つの冊子類１として、開いたり閉じたりして使用する際に、連結の強度が、ある程度、安定する。また、連結した一方の冊子類１のみを手でもって使用する際に、他方の冊子が宙づりになっても、強度が、ある程度、安定する。
【００３８】
＜第３参考例＞
この発明の第３参考例を、図９および図１０に示す。
「第３参考例の構成」
第一実施形態と異なる第３参考例の構成は、以下のようになる。すなわち、小さめの縦のスリット７が形成され、この小さめの縦のスリット７に対応して、挿入拡張片１１は、裏表紙９の中央に、小さめに形成される。
【００３９】
すなわち、裏表紙９の中央へ縦に、コの字状の切込み５ｋを入れる。そして、コの字状の切込み５ｋの両先端から、さらに直角に裏表紙９の中央へ短い切込み５ｌを入れる。これら短い切込み５ｌの切込先端５ｃを通って、コの字の両辺に平行に、折畳辺２３を、形成する。
【００４０】
「第３参考例の効果」  
第一実施形態と異なる第３参考例の効果は、以下のようになる。すなわち、小さめのスリット７と小さめの挿入拡張片１１とで、表表紙３および裏表紙９の中央で、連結が行われ、連結を緩やかなものにすることができる（図１０（６Ｉ）参照）。
【００４１】
＜第４参考例＞
この発明の第４参考例を、図１１および図１２に示す。
「第４参考例の構成」
第１参考例と異なる第４参考例の構成は、以下のようになる。すなわち、挿入拡張片１１は、挿入方向が上向きではなく下向きで、小さめに、裏表紙９の中央に形成される。
【００４２】
まず、裏表紙９の中央にコの字状の切込み５ｍを入れる。コの字の中央辺を下向きにする。そして、コの字状の切込み５ｍの両先端から、さらに直角に短い切込み５ｎを入れる。これら短い切込５ｎの切込先端５ｃを通って、コの字の両辺に平行に、折畳辺２３を形成する。
【００４３】
「第４参考例の効果」  
第１参考例と異なる第４参考例の効果は、以下のようになる。すなわち、挿入拡張片１１は、小さめであり、表表紙３および裏表紙９の中央で、連結が行われ、連結を緩やかなものにすることができる（図１２（７Ｉ）参照）。
【００４４】
＜第５参考例＞
この発明の第５参考例を、図１３および図１４に示す。
「第５参考例の構成」
第２参考例と異なる第５参考例の構成は、以下のようになる。すなわち、斜めに形成されるスリット７は同じであるが、挿入拡張片１１は、小さめで、裏表紙９の中央に形成される。すなわち、裏表紙９の中央に、斜めにコの字状の切込み５ｐを入れる。このコの字状の切込み５ｐの両先端からさらに直角に短い切込み５ｑを入れる。これら短い切込５ｑの切込先端５ｃを通って、コの字の両辺に平行に、折畳辺２３を形成する。
【００４５】
「第５参考例の効果」  
第２参考例と異なる第５参考例の効果は、以下のようになる。すなわち、小さめの挿入拡張片１１によって、表表紙３および裏表紙９の中央で、連結が行われ、連結を緩やかなものにすることができる（図１４（８Ｉ）参照）。
【００４６】
＜第６参考例＞
この発明の第６参考例を、図１５および図１６に示す。
「第６参考例の構成」
第３参考例と異なる第６参考例の構成は、以下のようになる。すなわち、挿入拡張片１１の挿入方向が異なる。すなわち、第３参考例の挿入方向は、表表紙３の前縁２０へ向かう方向であるが、第６参考例の挿入方向は、冊子類１の背部２５に向かう方向である。このため、コの字状の切込み５ｋの、コの字の向きが逆である。
【００４７】
＜第７参考例＞
この発明の第７参考例を、図１７および図１８に示す。
「第７参考例の構成」
第５参考例と異なる第７参考例の構成は、以下のようになる。すなわち、挿入拡張片１１の挿入方向が異なる。すなわち、第５参考例の挿入方向は、表表紙３の斜め下に向かう方向であるが、第７参考例の挿入方向は、表表紙３の斜め上に向かう方向である。このため、コの字状の切込み５ｐの、コの字の向きが逆である。
【００４８】
「他の実施形態」
以上の実施形態では、冊子類１の表表紙３にスリット７が形成され、裏表紙９に挿入拡張片１１が形成されるものであったが、他の実施形態では、逆であっても構わない。すなわち、裏表紙９にスリット７が形成され、表表紙３に挿入拡張片１１が形成されるものであっても構わない。
【００４９】
以上の実施形態では、連結に使用されていないスリット７や切込み５は露出（図１（１Ｉ）など参照）しているが、他の実施形態では、スリット７や切込み５を剥離可能なテープで閉じておくこともできる。
【００５０】
以上の実施形態では、冊子類１は手帳であったが、他の実施形態では、手帳に限らず、他の冊子、ノート、本等とすることができる。
以上の実施形態では、それぞれ、スリット７のある向きや大きさが特定され、そのスリット７に対応する挿入拡張片１１の向きや大きさ、および挿入方向が特定されるものであった。しかし、他の実施形態では、スリット７や挿入拡張片１１について、これらの特定されたもの以外の向き、大きさ、および挿入方向を採用することができる。特に、ある向きのスリットに対して、挿入拡張片１１の挿入方向は、ある方向と、その逆方向の２つの方向が、採用できる。
「実施形態の他の効果」
以上の実施形態の効果は、ノートなどの冊子類に関して保存を中心に論じたが、他の効果も大きい。たとえば、使用時に自由に差し替えができること等である。すなわち、
（１）数冊のノートを連結して一冊のノートのように持ち歩け、書く内容を混同させずに分けて書き留めることができ、
（２）ある一冊が最後まで書き終わったら、その一冊だけを新しいノートに差し替えることができ、
（３）書きためたノートは、今度はそれぞれ同じカテゴリーでまとめて保存できる。例えば、歴史ノートの場合に、
（４）学校へ持っていくものは、通史・文化史の二冊を連結する。
（５）通史のノートが先にうまったら、通史ノートのみ新しいノートに差し替える。
（６）歴史の授業が全て終了したら、通史ノートのみ、文化史ノートのみでそれぞれ連結して保存する、等のことができる。
また、手帳の場合に、
（７）スケジュール帳(カレンダー)・住所録・メモ帳の三冊を連結して持ち歩く。
（８）メモ帳がいっぱいになったらメモ帳のみ新しいものに差し替え、もしくは、新しい年になったら住所録・メモ帳はそのままでスケジュール帳(カレンダー)のみ差し替える。
（９）書き終わったものは、スケジュール帳は年度順に連結して保存する。メモ帳も古い順にまとめて保存する、という使用法が可能となる等の効果が得られる。
【符号の説明】
【００５１】
１…冊子類、３…表表紙、５（５ａ、５ｂ、・・など）…切込み、７…スリット、９…裏表紙、１１…挿入拡張片、１３…挿入部位、１５…拡張部位、１７…基部の幅、１９…上縁、２１…下縁、２３…折畳辺、２５…背部。
【要約】
【課題】冊子類を閉じた状態で重ねて連結でき、製造コストを抑止できる冊子類の連結構造を提供する。
【解決手段】各冊子類１の表紙３に、縦に、切込み５を入れてスリット７を形成する。また、各冊子類１の裏表紙９に切込み５を入れて挿入拡張片１１を形成する。この挿入拡張片１１を、スリット７に挿入して拡張することで、冊子類１の連結をおこなう。挿入拡張片１１は、挿入部位１３と拡張部位１５で構成される。拡張部位１５は、挿入部位１３の基部の両側に、折畳み可能に形成される。スリット７の位置と、挿入部位１３の基部の幅１７の位置とは、連結のために冊子類１を重ねた状態で、同じ位置に重なる。
【選択図】図１【図１】
0005600198.tif 000002
【図２】
0005600198.tif 000003
【図３】
0005600198.tif 000004
【図４】
0005600198.tif 000005
【図５】
0005600198.tif 000006
【図６】
0005600198.tif 000007
【図７】
0005600198.tif 000008
【図８】
0005600198.tif 000009
【図９】
0005600198.tif 000010
【図１０】
0005600198.tif 000011
【図１１】
0005600198.tif 000012
【図１２】
0005600198.tif 000013
【図１３】
0005600198.tif 000014
【図１４】
0005600198.tif 000015
【図１５】
0005600198.tif 000016
【図１６】
0005600198.tif 000017
【図１７】
0005600198.tif 000018
【図１８】
0005600198.tif 000019